(57)【要約】【課題】出退勤に加え、物品やサービスの支給の確認も適切に管理することを可能とする。【解決手段】出退勤登録装置（受付装置）１００は、食事などの物品やサービスの提供（給付、支給）を受けたことを登録する第１の操作ボタン、および、出勤や退勤などの出退勤の何れかを登録する第２の操作ボタンの画面表示を制御する表示制御手段１３２を備える。または、出退勤登録装置１００は、物品やサービスの提供を受けなかったことを登録する第１の操作ボタン、および、出勤や退勤などの出退勤の何れかを登録する第２の操作ボタンの画面表示を制御する表示制御手段１３２を備える。【選択図】図１
2019082799.tif 000002
【特許請求の範囲】
【請求項１】
勤務日に対応付けて登録すべき所定の確認事項について、当該勤務日において該当したことの登録または非該当であったことの登録を受け付けるための第１の操作ボタンを、出勤／退勤の選択を行うための第２の操作ボタンが表示される画面に表示させる表示制御手段を備えたことを特徴とする受付装置。
【請求項２】
前記表示制御手段は、前記第１の操作ボタンと前記第２の操作ボタンを並べて表示させる、
ことを特徴とする請求項１に記載の受付装置。
【請求項３】
前記表示制御手段は、前記第１の操作ボタンが操作されることに基づいて前記確認事項についての登録を受け付けたことを示すメッセージを表示させる、
ことを特徴とする請求項１または２に記載の受付装置。
【請求項４】
勤務日に対応付けて登録すべき所定の確認事項について、当該勤務日において該当したことの登録または非該当であったことの登録を受け付けるとともに、退勤の登録を合わせて受け付けるための第１の操作ボタンを、出勤の登録を受け付けるための第２の操作ボタンが表示される画面に表示させる表示制御手段を備えたことを特徴とする受付装置。
【請求項５】
勤務日に対応付けて登録すべき所定の確認事項について、当該勤務日において該当したことの登録または非該当であったことの登録を受け付けるための第１の操作ボタンを、出勤／退勤の選択を行うための第２の操作ボタンを含む画面において退勤の選択を受け付けた際に、前記画面に表示させる表示制御手段を備えたことを特徴とする受付装置。
【請求項６】
前記確認事項は、所定の物品の給付確認、受領確認、非給付確認、非受領確認、のうちの少なくとも一つ、または、所定のサービスの提供確認、受領確認、非提供確認、非受領確認、のうちの少なくとも一つである、
ことを特徴とする請求項１から５のうち何れか一項に記載の受付装置。
【請求項７】
前記表示制御手段は、表面への接触を入力操作として検出するタッチパネルを有する表示手段に前記画面を表示させる、
ことを特徴とする請求項１から６のうち何れか一項に記載の受付装置。
【請求項８】
勤務日に対応付けて登録すべき所定の確認事項について、当該勤務日において該当したことの登録または非該当であったことの登録を受け付けるための第１の操作ボタンを、出勤／退勤の選択を行うための第２の操作ボタンが表示される画面に表示させることを特徴とする受付方法。
【請求項９】
勤務日に対応付けて登録すべき所定の確認事項について、当該勤務日において該当したことの登録または非該当であったことの登録を受け付けるとともに、退勤の登録を合わせて受け付けるための第１の操作ボタンを、出勤の登録を行うための第２の操作ボタンが表示される画面に表示させることを特徴とする受付方法。
【請求項１０】
勤務日に対応付けて登録すべき所定の確認事項について、当該勤務日において該当したことの登録または非該当であったことの登録を受け付けるための第１の操作ボタンを、出勤／退勤の選択を行うための第２の操作ボタンを含む画面において退勤の選択を受け付けた際に、前記画面に表示させることを特徴とする受付方法。
【請求項１１】
コンピュータを、
勤務日に対応付けて登録すべき所定の確認事項について、当該勤務日において該当したことの登録または非該当であったことの登録を受け付けるための第１の操作ボタンを、出勤／退勤の選択を行うための第２の操作ボタンが表示される画面に表示させる表示制御手段として機能させるためのプログラム。
【請求項１２】
コンピュータを、
勤務日に対応付けて登録すべき所定の確認事項について、当該勤務日において該当したことの登録または非該当であったことの登録を受け付けるとともに、退勤の登録を合わせて受け付けるための第１の操作ボタンを、出勤の登録を行うための第２の操作ボタンが表示される画面に表示させる表示制御手段として機能させるためのプログラム。
【請求項１３】
コンピュータを、
勤務日に対応付けて登録すべき所定の確認事項について、当該勤務日において該当したことの登録または非該当であったことの登録を受け付けるための第１の操作ボタンを、出勤／退勤の選択を行うための第２の操作ボタンを含む画面において退勤の選択を受け付けた際に、前記画面に表示させる表示制御手段として機能させるためのプログラム。
【発明の詳細な説明】
【技術分野】
【０００１】
本発明は、従業員の出退勤を登録する受付装置、受付方法およびプログラムに関する。
【背景技術】
【０００２】
勤務地の出入口などに設置され、出勤または退勤などの出退勤登録（勤怠登録、打刻）を行うことが可能な出退勤登録装置（タイムレコーダ）が知られている。この出退勤登録装置で出退勤登録を行う際には、従業員が出勤または退勤などの出退勤種別を選択して、出退勤登録装置が、従業員のＩＣカードと近距離無線通信を行い、その従業員の識別情報（従業員識別情報）が確認できたら時刻や出退勤種別とともに出退勤登録を実行する（特許文献１）。
【先行技術文献】
【特許文献】
【０００３】
【特許文献１】特開２０１６−５７６６１号公報
【発明の概要】
【発明が解決しようとする課題】
【０００４】
企業が勤務地で従業員に対して食事を支給する、いわゆる「まかない」を行うことが知られている。このまかないについては、従業員に支給されたか適切に管理する方法がなかった。このために、多くの従業員が勤務している企業などでは、未支給の従業員がいたり、重複して支給される従業員がいたりしても、これを把握することができなかった。これは、食事に限らず、物品や金券、サービスなどでの支給（提供）でも同様である。また、税法上の観点からも、従業員に対する支給については適切な管理を行う必要がある。
【０００５】
このような背景を鑑みて本発明がなされたのであり、本発明は、出退勤に加え、所定の確認事項についても適切に管理するための受付装置、受付方法およびプログラムを提供することを課題とする。
【課題を解決するための手段】
【０００６】
前記した課題を解決するため、本発明の１つの態様の受付装置は、勤務日に対応付けて登録すべき所定の確認事項について、当該勤務日において該当したことの登録または非該当であったことの登録を受け付けるための第１の操作ボタンを、出勤／退勤の選択を行うための第２の操作ボタンが表示される画面に表示させる表示制御手段を備えたことを特徴とする。
【発明の効果】
【０００７】
本発明によれば、出退勤に加え、所定の確認事項についても適切に管理するための受付装置、受付方法およびプログラムを提供することができる。
【図面の簡単な説明】
【０００８】
【図１】第１の実施形態に係る出退勤登録装置の全体構成を示す図である。
【図２】第１の実施形態に係る従業員情報データベースのデータ構成を示す図である。
【図３】第１の実施形態に係る登録履歴データベースのデータ構成を示す図である。
【図４】第１の実施形態に係る登録処理の流れを示すフローチャートである。
【図５】第１の実施形態に係る登録処理の起動直後の登録画面を示す図である。
【図６】第１の実施形態に係る出退勤種別または食事の選択時の登録画面を示す図である。
【図７】第１の実施形態に係るＩＣカードを用いた登録の完了時の登録画面を示す図である。
【図８】第１の実施形態に係る従業員番号を用いた登録の完了時の登録画面を示す図である。
【図９】第１の実施形態に係る名前を用いた登録の完了時の登録画面を示す図である。
【図１０】第１の実施形態に係る何れのボタンも選択していない登録時のエラー表示時の登録画面を示す図である。
【図１１】第１の実施形態の変形例に係る登録処理の流れを示すフローチャートである。
【図１２】第１の実施形態の変形例に係るボタンの選択を促すメッセージの表示時の登録画面を示す図である。
【図１３】第２の実施形態に係る出退勤登録装置の全体構成を示す図である。
【図１４】第２の実施形態に係る登録処理の流れを示すフローチャートである。
【図１５】第２の実施形態に係る起動直後の登録画面を示す図である。
【図１６】第２の実施形態に係る出退勤種別選択時の登録画面を示す図である。
【図１７】第２の実施形態に係る食事の支給の有無の問い合わせ画面を含めた登録画面を示す図である。
【図１８】第２の実施形態に係る登録の完了時の登録画面を示す図である。
【図１９】第３の実施形態に係る出退勤登録装置の全体構成を示す図である。
【図２０】第３の実施形態に係る起動直後の登録画面を示す図である。
【図２１】第４の実施形態に係る出退勤登録装置の全体構成を示す図である。
【図２２】第４の実施形態に係る登録処理の流れを示すフローチャートである。
【図２３】第４の実施形態に係る起動直後の登録画面を示す図である。
【図２４】第４の実施形態に係る退勤ボタンをタップした後の登録画面を示す図である。
【図２５】第４の実施形態に係る退勤食事ボタンをタップした後の登録画面を示す図である。
【図２６】第５の実施形態に係る出退勤登録装置の全体構成を示す図である。
【図２７】第５の実施形態に係る登録処理の流れを示すフローチャートである。
【図２８】第５の実施形態に係る食事の支給の種別の問い合わせ画面を含めた登録画面を示す図である。
【図２９】第５の実施形態に係る登録完了時の登録画面を示す図である。
【図３０】第１〜第５の本実施形態に係る従業員別登録状況画面を示す図である。
【図３１】第１〜第５の本実施形態に係る日付別登録状況画面を示す図である。
【発明を実施するための形態】
【０００９】
≪第１の実施形態：出退勤登録装置の全体構成≫
以下、図面を参照しながら、本発明を実施するための形態（実施形態）を説明する。図１は、第１の実施形態に係る出退勤登録装置の全体構成を示す図である。ハードウェアとして出退勤登録装置（受付装置、勤怠登録装置）１００は、いわゆるタブレット端末であり、ＣＰＵ（Central Processing Unit）１１１、ＲＯＭ（Read Only Memory）１１２、ＲＡＭ（Random Access Memory）１１３、ＳＳＤ（Solid State Drive）１１４、ＮＩＣ（Network Interface Card）１１５、スピーカ１１６、ＮＦＣリーダ（ＩＣカードリーダ）１１７、および、タッチパネルディスプレイ（表示手段）１１８を含んで構成される。ＮＦＣリーダ１１７は、必ずしも出退勤登録装置１００に内蔵されるとは限らず、外付けであっても構わない。
【００１０】
また、出退勤登録装置１００は、論理的には制御部１３０と記憶部１４０と入出力部１７０とから構成される。制御部１３０はＣＰＵ１１１から構成され、出退勤登録装置１００全体を制御して機能させる。記憶部１４０は、ＲＯＭ１１２とＲＡＭ１１３とＳＳＤ１１４とから構成され、各種データベースやプログラムを記憶する。入出力部１７０は、他の装置との通信データを送受信するＮＩＣ１１５、従業員が誤操作したときに警告音を発生させるスピーカ１１６、ＩＣカードの識別情報（ＩＣカード識別情報）を読み取るＮＦＣリーダ１１７、および、出退勤（勤怠）種別のボタンや食事のボタン、従業員の名前を表示したり従業員からの入力を受け付けたり（読み取ったり）するタッチパネルディスプレイ１１８から構成される。
【００１１】
制御部１３０は、記憶部１４０に記憶されるＯＳ（Operating System）（不図示）や登録プログラム１４１を実行することで、後記する登録処理（勤怠登録処理）を実行する。制御部１３０は、入力受付手段（受付手段）１３１、表示制御手段１３２、および、登録手段１３３を含んで構成される。
【００１２】
入力受付手段（受付手段）１３１は、入出力部１７０を構成するＮＦＣリーダ１１７からＩＣカード識別情報を読み取ったり、タッチパネルディスプレイ１１８を操作して従業員が入力した出勤や退勤などの出退勤（勤怠）種別ボタンや食事ボタンの選択、従業員番号や名前などの従業員識別情報を受け付けたりする。なお、入力受付手段１３１は、後記する従業員情報データベース１５０（図１では従業員情報ＤＢ（Database）と記載、図２参照）を参照することで、取得したＩＣカード識別情報や名前に基づいて従業員番号を特定する。
【００１３】
図２は、第１の実施形態に係る従業員情報データベース１５０のデータ構成を示す図である。従業員情報データベース１５０は、記憶部１４０に記憶される表形式のデータベースであり、各行（レコード）は、１人の従業員の情報を示しており、従業員番号１５１、名前１５２、ＩＣカード識別情報（図２ではＩＣカードＩＤと記載）１５３、および、役職１５４の属性（列）を含んでいる。
【００１４】
従業員番号１５１は、従業員の従業員番号であり、従業員識別情報の１つである。従業員は、タッチパネルディスプレイ１１８から従業員番号を入力することができる。
名前１５２は、従業員の名前であり、従業員識別情報の１つである。従業員は、タッチパネルディスプレイ１１８に表示された自分の名前１５２を選択してタップすることで、名前１５２を入力することができる。
【００１５】
ＩＣカード識別情報１５３は、従業員が保有するＩＣカードの識別情報であり、従業員識別情報の１つである。従業員がＩＣカードを保有（登録）していない場合には、ＩＣカード識別情報１５３は「−」となる。従業員は、ＮＦＣリーダ１１７に自分のＩＣカードをタッチすることで、ＩＣカード識別情報１５３を入力することができる。
役職１５４は、従業員の役職である。
【００１６】
レコード１５９は、従業員番号「３８６４」の従業員の名前は「田中花子」であり、ＩＣカードは保有（登録）しておらず、役職は「スタッフ」であることを示している。
【００１７】
図１に戻り、表示制御手段１３２は、タッチパネルディスプレイ１１８に出勤や退勤などの出退勤（勤怠）のボタン（第２の操作ボタン）、食事のボタン（第１の操作ボタン）の表示（後記する図５参照）を制御する。入力受付手段１３１が、出退勤種別や食事のボタンがタップ（選択）されたことを読み取ると、表示制御手段１３２は、タップされたボタンを強調して表示し（後記する図６記載の食事ボタン５４５参照）、そのボタンが選択された状態にあることを従業員にわかりやすく表示する。また、表示制御手段１３２は、従業員番号や名前、登録された情報に係るメッセージ、従業員に対する問い合わせ、問い合わせに対する回答ボタンなどの表示を制御する。
【００１８】
登録手段１３３は、入力受付手段１３１が読み取った従業員識別情報に対応する従業員番号、登録日付、登録時刻、および、入力受付手段１３１が読み取った情報に基づいて、出退勤情報または食事の支給を受けたか否かを示す情報を後記する登録履歴データベース１６０（図１では登録履歴ＤＢと記載、図３参照）に格納して、登録する。
【００１９】
図３は、第１の実施形態に係る登録履歴データベース１６０のデータ構成を示す図である。登録履歴データベース１６０は、記憶部１４０に記憶される表形式のデータベースであり、各行（レコード）は、１件の出退勤登録の情報を示しており、従業員番号１６１、登録日付１６２、登録時刻１６３、および、「出退勤種別と食事」１６４の属性（列）を含んでいる。
【００２０】
従業員番号１６１は、登録した従業員の従業員番号であり、従業員情報データベース１５０の従業員番号１５１に対応する。登録日付１６２は登録された日付を示し、登録時刻１６３は登録された時刻を、「出退勤種別と食事」１６４は登録された出退勤種別または食事を示す。「出退勤種別と食事」１６４には、「出勤」、「退勤」、「休憩開始」、「休憩終了」および「食事」がある。
【００２１】
レコード１６８は、従業員番号が「３８４７」である従業員が、２０１７年１０月１０日１６時００分５４秒に「退勤」の登録をしたことを示している。また、レコード１６９は、同従業員が同日同時刻に、「食事」の登録をしたことを示している。
【００２２】
≪第１の実施形態：登録処理≫
図４は、第１の実施形態に係る登録処理の流れを示すフローチャートである。以下、図４と、タッチパネルディスプレイ１１８上の表示画面（図５〜図１０）とを参照しながら、出退勤登録装置１００が実行する登録処理を説明する。
【００２３】
図５は、第１の実施形態に係る登録処理の起動直後の登録画面を示す図である。画面４００のロゴ領域５１０には、出退勤登録装置１００を導入した組織ないしは出退勤登録装置１００の製造元のロゴが表示される。日時領域５２０には、現在日時が表示される。メッセージ領域５３０には、入力受付手段１３１が受け付けた（読み取った）従業員識別情報に対応する従業員の従業員番号や名前、登録された情報に係るメッセージ、従業員に次の操作を促すメッセージ、警告メッセージなどが表示される。
【００２４】
出退勤登録領域５４０には、出退勤種別に係るボタンとして、出勤ボタン５４１と退勤ボタン５４２と休憩開始ボタン５４３と休憩終了ボタン５４４と、が表示され、食事の支給に係るボタンとして、食事ボタン５４５とが表示される。画面４１０では、何れのボタンも選択されておらず、選択状態に表示されていない。
【００２５】
画面４１０の右側には、「番号で選択」タブ５５０と「名前で選択」タブ５６０とが表示される従業員選択領域が配置される。画面４１０では、「番号で選択」タブ５５０が選択されて表示されており、テンキーとクリアキー（Ｃキー）とＯＫキーとが表示されている。「番号で選択」タブ５５０には、従業員番号領域５５１が配置されているが、画面４１０では、従業員番号が未入力であり、何も表示されていない。
【００２６】
図４に戻り、ステップＳ１０１において、従業員が出退勤種別に係るボタンや食事ボタン５４５の選択または従業員識別情報を入力する。従業員が出退勤種別に係るボタンまたは食事ボタン５４５の選択を入力するときには、出退勤登録領域５４０に表示される何れかのボタンをタップする。ＩＣカードを用いて従業員識別情報（ＩＣカード識別情報）を入力するときには、従業員はＩＣカードをＮＦＣリーダ１１７にタッチする。従業員番号を入力する場合には、従業員は「番号で選択」タブ５５０を選択して、テンキーで従業員番号を入力して、最後にＯＫキーをタップする。名前を入力する場合には、従業員は「名前で選択」タブ５６０を選択して、表示された名前一覧（後記する図９参照）から名前をタップする。
【００２７】
ステップＳ１０２において、入力受付手段１３１が入力された情報を読み取る。
ステップＳ１０３において、ステップＳ１０２で読み取った入力情報の種別が、出退勤種別に係るボタンの選択または食事ボタン５４５の選択だった場合には（Ｓ１０３→出退勤種別または食事）ステップＳ１０４に進み、従業員識別情報（ＩＣカード識別情報、従業員番号または名前）だった場合には（Ｓ１０３→従業員識別情報）ステップＳ１０５に進む。
【００２８】
ステップＳ１０４において、表示制御手段１３２は、選択された出退勤種別に係るボタンまたは食事のボタンが選択された状態（選択状態）にして表示する。図６は、第１の実施形態に係る出退勤種別または食事の選択時の登録画面を示す図である。画面４１１においては、食事ボタン５４５がタップされて、選択状態として表示されている。メッセージ領域５３０には、従業員の次の操作として、ＩＣカードをタッチするか、従業員番号を入力することを促すメッセージが表示されている。
【００２９】
ステップＳ１０５において、何れかのボタンが選択された状態であれば（Ｓ１０５→Ｙ）ステップＳ１０６に進み、何れのボタンも選択された状態でなければ（Ｓ１０５→Ｎ）ステップＳ１０７に進む。
ステップＳ１０６において、登録手段１３３は、登録履歴データベース１６０にレコードを追加し、従業員番号１６１、登録日付１６２、登録時刻１６３、および、「出退勤種別と食事」１６４に登録情報を格納する。詳しくは、従業員番号１６１には、入力された従業員識別情報に対応する従業員番号が格納され、ＩＣカード識別情報に対応する従業員番号、「番号で選択」タブ５５０で入力された従業員番号、または、「名前で選択」タブ５６０で入力された名前に対応する従業員番号が格納される。登録日付１６２と登録時刻１６３とには、登録時の日付と時刻とが格納される。「出退勤種別と食事」１６４には、ステップＳ１０４で選択されたボタンに対応する情報が格納される。
【００３０】
図７は、第１の実施形態に係るＩＣカードを用いた登録の完了時の登録画面を示す図である。画面４１２は、ＩＣカードにより従業員識別情報が入力されたときの登録処理後の画面であり、メッセージ領域５３０に、従業員番号と名前と出退勤種別（または食事）を含んだ登録完了のメッセージが表示されている。ここで、従業員番号は、入力受付手段１３１が従業員情報データベース１５０（図２参照）を参照して、読み取ったＩＣカード識別情報１５３に基づいて特定した従業員番号１５１である。名前は、登録手段１３３が従業員情報データベース１５０を参照して得られた、従業員番号１５１に対応する名前１５２である。出退勤種別（または食事）は、選択状態にある出退勤種別または食事である。この例では、食事ボタン５４５が選択された場合であるが、退勤や休憩開始などの出退勤種別においても、同様の処理である。
【００３１】
図８は、第１の実施形態に係る従業員番号を用いた登録の完了時の登録画面を示す図である。画面４１３は、「番号で選択」タブ５５０から従業員番号が入力されたときの登録処理後の画面であり、メッセージ領域５３０に、従業員番号と名前と出退勤種別（または食事）を含んだ登録完了のメッセージが表示されている。ここで、従業員番号は、入力受付手段１３１が読み取った、入力された従業員番号であり、従業員番号領域５５１に表示されている従業員番号である。名前は、登録手段１３３が従業員情報データベース１５０を参照して得られた、従業員番号１５１に対応する名前１５２である。
【００３２】
図９は、第１の実施形態に係る名前を用いた登録の完了時の登録画面を示す図である。画面４１４は、「名前で選択」タブ５６０に配置される従業員名前領域５６１から名前が選択されたときの登録処理後の画面であり、メッセージ領域５３０に、従業員番号と名前と出退勤種別（または食事）を含んだ登録完了のメッセージが表示されている。ここで、従業員番号は、登録手段１３３が従業員情報データベース１５０を参照して得られた、選択された名前１５２に対応する従業員番号１５１である。
【００３３】
図４に戻り、ステップＳ１０７において、登録手段１３３は、従業員が何れのボタンも選択しないままに出退勤登録しようとしたときのエラーメッセージを赤やオレンジなどの目立つ色で表示して、スピーカ１１６から警告音を出力する。図１０は、第１の実施形態に係る何れのボタンも選択していない登録時のエラー表示時の登録画面を示す図である。画面４１５においては、メッセージ領域５３０に、出退勤種別に係るボタンまたは食事ボタン５４５を選択してからＩＣカードをタッチするか従業員番号を入力することを促すメッセージが表示されている。
【００３４】
≪第１の実施形態：効果≫
出退勤登録装置１００を操作することで、従業員は、従来までの出勤や退勤などの出退勤（勤怠）種別に加えて、食事の給付を登録することが可能となる。操作方法は、従来までの出退勤登録と同様であり、新たに操作方法を学習することなく、登録が可能である。食事の登録は、食事取得の前後でも、退勤時でも可能であり、従業員が登録を忘れることを削減することができる。
【００３５】
また、食事の給付を登録することで、従業員は、食事提供（支給、給付）という確認事項について該当することを登録したことになる。また、食事に限らず、出退勤登録装置１００が、各種物品やサービスのボタンを備えることで、物品の給付（受領）確認、サービスの提供（受領）確認も可能となる。さらに、確認事項が複数ある場合には、確認事項の数に対応した数のボタンを備える構成としてもよい。
提供の確認とは逆に、非提供の確認をするようにしてもよい。例えば、出退勤登録装置１００は、「食事」ボタンの替わりに、「食事無」ボタンを表示して、登録できるようにしてもよい。こうすることで、食事提供（支給、給付）という確認事項について非該当であることを登録したことになる。非該当のボタンを備えることで、出退勤登録装置１００は、物品やサービスの非給付（非提供、非受領）確認が可能となる。
【００３６】
≪第１の実施形態：変形例≫
上記した第１の実施形態では、出退勤種別に係るボタンまたは食事ボタン５４５が選択された後に、従業員識別情報が入力されて、出退勤登録される。何れのボタンも選択されていないときには、ステップＳ１０７で説明したようにエラーになる。エラーにする替わりに、従業員に何れかのボタンを選択させるようにしてもよい。図１１は、第１の実施形態の変形例に係る登録処理の流れを示すフローチャートである。
ステップＳ２０１〜Ｓ２０６は、ステップＳ１０１〜Ｓ１０６（図４参照）とそれぞれ同様の処理である。
【００３７】
ステップＳ２０７において、登録手段１３３は、何れかのボタンの選択を促すメッセージを出力する。図１２は、第１の実施形態の変形例に係るボタンの選択を促すメッセージの表示時の登録画面を示す図である。画面４１６においては、メッセージ領域５３０に、入力された従業員識別情報に対応する従業員番号と名前が表示され、さらに何れかのボタンの選択を促すメッセージが表示されている。
【００３８】
ステップＳ２０８において、従業員が出退勤種別に係るボタンまたは食事ボタン５４５をタップして、登録する出退勤種別または食事を選択する。
ステップＳ２０９において、入力受付手段１３１が、ステップＳ２０８において選択されたボタンに対応する情報を読み取る。
【００３９】
ステップＳ２１０において、登録手段１３３は、ステップＳ１０６と同様に、ステップＳ２０９において読み取った情報の登録を実行する。
【００４０】
≪第２の実施形態：出退勤登録装置の全体構成≫
図１３は、第２の実施形態に係る出退勤登録装置（受付装置）１００の全体構成を示す図である。第１の実施形態の出退勤登録装置１００と比較して、表示制御手段１３２Ａが、食事ボタン５４５（図５参照）を表示せず、出勤や退勤などの出退勤種別のみのボタン（第２の操作ボタン）を表示する（後記する図１５参照）。替わりに、退勤が登録された後に、登録手段１３３Ａが食事の有無を問い合わせて（後記する図１７参照）、登録を行う。従業員は、ＹＥＳボタン（第１の操作ボタン）をタップすることで、食事の支給を受けたこと（確認事項）を確認したことになる。
【００４１】
≪第２の実施形態：登録処理≫
図１４は、第２の実施形態に係る登録処理の流れを示すフローチャートである。以下、図１４と、タッチパネルディスプレイ１１８上の表示画面（図１５〜図１８）とを参照しながら、出退勤登録装置１００が実行する登録処理を説明する。
【００４２】
図１５は、第２の実施形態に係る起動直後の登録画面を示す図である。第１の実施形態の画面（図５〜図１０参照）と比較して、画面４２０では、食事ボタン５４５が表示されておらず、出勤ボタン５４１、退勤ボタン５４２、休憩開始ボタン５４３、および、休憩終了ボタン５４４の出退勤種別を選択するボタンのみが出退勤登録領域５４０に表示されている。
【００４３】
ステップＳ３０１〜Ｓ３０４は、食事ボタン５４５がないことを除いて、ステップＳ１０１〜Ｓ１０４（図４参照）と同様の処理である。図１６は、第２の実施形態に係る出退勤種別選択時の登録画面を示す図である。画面４２１では、退勤ボタン５４２が選択された状態である。
ステップＳ３０５において、何れかのボタンが選択された状態であれば（Ｓ３０５→Ｙ）ステップＳ３０６に進み、何れのボタンも選択された状態でなければ（Ｓ３０５→Ｎ）ステップＳ３１３に進む。
【００４４】
ステップＳ３０６において、選択されているボタンが退勤ボタン５４２ならば（Ｓ３０６→Ｙ）ステップＳ３０７に進み、退勤ボタン５４２でないならば（Ｓ３０６→Ｎ）ステップＳ３１２に進む。
ステップＳ３０７において、登録手段１３３Ａは、食事の有無を問い合わせる。図１７は、第２の実施形態に係る食事の支給の有無の問い合わせ画面を含めた登録画面を示す図である。画面４２２の中央左寄りに、「食事問合せ」というタイトルのダイアログボックス５７１が表示され、従業員に食事の支給の有無を問い合わせている。
【００４５】
ステップＳ３０８において、従業員が食事の支給の有無を入力する。
ステップＳ３０９において、入力受付手段１３１がステップＳ３０８の入力を読み取り、食事の支給がありならば（Ｓ３０９→Ｙ）ステップＳ３１０に進み、食事の支給がなしならば（Ｓ３０９→Ｎ）ステップＳ３１１に進む。
【００４６】
ステップＳ３１０において、登録手段１３３Ａは、ステップＳ１０６（図４参照）と同様に、退勤の登録と食事の支給の登録を行う。詳しくは、最初に、登録手段１３３Ａは、登録履歴データベース１６０にレコードを追加し、従業員番号１６１、登録日付１６２、登録時刻１６３に従業員番号、登録日付、登録時刻を格納して、「出退勤種別と食事」１６４に「退勤」を格納する。続いて、登録手段１３３Ａは、登録履歴データベース１６０にレコードを追加し、従業員番号１６１、登録日付１６２、登録時刻１６３に従業員番号、登録日付、登録時刻を格納して、「出退勤種別と食事」１６４に「食事」を格納する。図１８は、第２の実施形態に係る登録の完了時の登録画面を示す図である。画面４２３のメッセージ領域５３０には、従業員番号と名前に加えて、退勤と食事の両方が登録された旨のメッセージが表示されている。
【００４７】
ステップＳ３１１において、登録手段１３３Ａは、ステップＳ１０６と同様に、退勤の登録を行う。
ステップＳ３１２は、ステップＳ１０６と同様の処理である。
ステップＳ３１３は、ステップＳ１０７（図４参照）と同様の処理である。
【００４８】
≪第２の実施形態：効果≫
出退勤登録装置１００を操作することで、従業員は、従来までの出勤や退勤などの出退勤種別に加えて、食事の支給を登録することが可能となる。第１の実施形態と比較すると、従業員は退勤時に食事の支給の有無が問い合わされて回答するので、食事の支給の登録を忘れることを防ぐことができるようになる。
【００４９】
上記した第２の実施形態では、退勤の登録時に食事の支給の有無を問い合わせていたが、他の勤務種別で問い合わせるようにしてもよい。例えば、休憩終了の登録時に問い合わせるようにしてもよい。
【００５０】
≪第３の実施形態：出退勤登録装置の全体構成≫
図１９は、第３の実施形態に係る出退勤登録装置（受付装置）１００の全体構成を示す図である。第１の実施形態の出退勤登録装置１００と比較して、表示制御手段１３２が表示制御手段１３２Ｂに替わり、食事ボタン５４５（図５参照）が表示されなくなり、食事と退勤などの出退勤種別と組み合わされたボタン（第１の操作ボタン）が表示される（後記する図２０参照）。
【００５１】
図２０は、第３の実施形態に係る起動直後の登録画面を示す図である。第１の実施形態の画面（図５〜図１０参照）と比較して、画面４３０では、食事ボタン５４５が表示されておらず、出勤ボタン５４１、退勤ボタン５４２、「退勤（食事）」と表記された退勤食事ボタン５４６（第１の操作ボタン）、休憩開始ボタン５４３、および、休憩終了ボタン５４４が出退勤登録領域５４０に表示されている。退勤食事ボタン５４６は、退勤と食事の２つが登録されるボタンであり、退勤食事ボタン５４６を選択して登録することで、従業員は、食事の支給を受けたこと（確認事項）を確認したことになる。
【００５２】
≪第３の実施形態：登録処理≫
第３の実施形態の登録処理は、食事ボタン５４５が退勤食事ボタン５４６に替わったことを除いて、第１の実施形態の登録処理（図４参照）と同様である。ここで、ステップＳ１０６の登録においては、退勤食事ボタン５４６が選択されていた場合には、登録手段１３３は、退勤の登録と食事の支給の登録とを実行する。
【００５３】
≪第３の実施形態：効果≫
出退勤登録装置１００を操作することで、従業員は、従来までの出勤や退勤などの出退勤種別に加えて、食事の支給を登録することが可能となる。第１の実施形態と比較すると、従業員は、退勤の登録と食事の支給の登録との２回の操作を行う必要がなく、退勤食事ボタン５４６を選択する１回の操作を行えばよく、操作の手間が削減されている。また、第２の実施形態と比較すると、従業員は食事の支給の有無の問い合わせ（図１７参照）に答える必要がなく、操作の手間が削減されている。
食事は退勤と組み合わされるとは限らず、他の出退勤種別、例えば休憩終了と組み合わされてもよい。
【００５４】
≪第４の実施形態：出退勤登録装置の全体構成≫
図２１は、第４の実施形態に係る出退勤登録装置（受付装置）１００の全体構成を示す図である。第１の実施形態の出退勤登録装置１００と比較して、表示制御手段１３２が表示制御手段１３２Ｃに替わり、食事ボタン５４５（図５参照）が表示されなくなり、食事は出勤や退勤などの出退勤種別と組み合わされて１つのボタン（第１の操作ボタン）がトグルで表示される。詳しくは、退勤ボタンがトグルボタンになっており、タップされるごとに、退勤が登録される退勤ボタン５４２Ａ（後記する図２３参照）と、退勤および食事が登録される退勤食事ボタン５４２Ｂ（後記する図２４参照、ボタン上は「退勤（食事）」と表記）とに交互に変化する。退勤食事ボタン５４２Ｂを選択して登録することで、従業員は、食事の支給を受けたこと（確認事項）を確認したことになる。
【００５５】
≪第４の実施形態：登録処理≫
図２２は、第４の実施形態に係る登録処理の流れを示すフローチャートである。以下、図２２と、タッチパネルディスプレイ１１８上の表示画面（図２３〜図２５）とを参照しながら、出退勤登録装置１００が実行する登録処理を説明する。
【００５６】
図２３は、第４の実施形態に係る起動直後の登録画面を示す図である。第１の実施形態の画面（図５〜図１０参照）と比較して、画面４４０では、食事ボタン５４５が表示されておらず、出勤ボタン５４１、退勤ボタン５４２Ａ、休憩開始ボタン５４３、および、休憩終了ボタン５４４の勤務種別を選択するボタンのみが出退勤登録領域５４０に表示されている。
【００５７】
ステップＳ４０１〜Ｓ４０２は、選択されるボタンが異なっていることを除いて、ステップＳ１０１〜Ｓ１０２（図４参照）と同様の処理である。
ステップＳ４０３において、ステップＳ４０２で読み取った入力情報の種別が、出退勤種別にかかるボタンの選択または退勤食事ボタン５４２Ｂの選択だった場合には（Ｓ４０３→出退勤種別または退勤食事）ステップＳ４０４に進み、従業員識別情報（ＩＣカード識別情報、従業員番号または名前）だった場合には（Ｓ４０３→従業員識別情報）ステップＳ４０７に進む。
【００５８】
ステップＳ４０４において、入力が退勤ボタン５４２Ａまたは退勤食事ボタン５４２Ｂの選択ならば（Ｓ４０４→Ｙ）ステップＳ４０５に進み、退勤ボタン５４２Ａまたは退勤食事ボタン５４２Ｂの選択でなければ（Ｓ４０４→Ｎ）ステップＳ４０６に進む。
ステップＳ４０５において、表示制御手段１３２Ｃは、退勤ボタン５４２Ａと退勤食事ボタン５４２Ｂを入れ替えて表示する。詳しくは、表示制御手段１３２Ｃは、退勤ボタン５４２Ａがタップされた場合には、退勤ボタン５４２Ａに替えて退勤食事ボタン５４２Ｂ（後記する図２４参照）を表示し、退勤食事ボタン５４２Ｂがタップされた場合には、退勤食事ボタン５４２Ｂに替えて、退勤ボタン５４２Ａを表示する。
【００５９】
ステップＳ４０６において、表示制御手段１３２Ｃは、選択された出退勤種別または退勤食事を示すボタンを選択状態に表示する。図２４は、第４の実施形態に係る退勤ボタンをタップした後の登録画面を示す図である。退勤ボタン５４２Ａがタップされた後に、画面４４１では退勤食事ボタン５４２Ｂが選択状態にして表示され、退勤食事が選択されていることを示している。図２５は、第４の実施形態に係る退勤食事ボタンをタップした後の登録画面を示す図である。退勤食事ボタン５４２Ｂがタップされた後に、画面４４２では退勤ボタン５４２Ａが選択状態にして表示されていることを示している。
【００６０】
ステップＳ４０７において、何れかのボタンが選択済みならば（Ｓ４０７→Ｙ）ステップＳ４０８に進み、未選択ならば（Ｓ４０８→Ｎ）ステップＳ４０９に進む。
ステップＳ４０８において、登録手段１３３は、ステップＳ１０６（図４参照）と同様に登録を行う。例えば、退勤ボタン５４２Ａが選択表示されていれば、登録手段１３３は、退勤の登録を行い、退勤食事ボタン５４２Ｂが選択表示されていれば、退勤の登録と食事の支給の登録を行う。
ステップＳ４０９は、ステップＳ１０７（図４参照）と同様の処理である。
【００６１】
≪第４の実施形態：効果≫
出退勤登録装置１００を操作することで、従業員は、従来までの出勤や退勤などの出退勤種別に加えて、食事の支給を登録することが可能となる。また、出退勤種別と食事との組み合わせのボタンをトグルボタンとすることで、ボタンの数を削除することができる。例えば、食事を退勤だけではなく休憩終了とも組み合わせる場合、トグルボタンを用いないとすると、出勤、退勤、退勤食事、休息開始、休息終了、休息終了食事の６つのボタンを出退勤登録領域５４０（図５参照）に配置することになり、ボタンが小さくなって、操作がしにくくなったり、誤操作が多くなったりする。トグルボタンを用いることで、食事と出退勤種別とを組み合わせたボタンを操作しやすい大きさにすることができ、操作性を向上させることができる。
【００６２】
≪第５の実施形態：出退勤登録装置の全体構成≫
図２６は、第５の実施形態に係る出退勤登録装置（受付装置）１００の全体構成を示す図である。本実施形態では、食事の支給の種別が１つではなく、複数あり、登録手段１３３Ｄが食事の支給の種別を問い合わせて（後記する図２８参照）、選択された食事種別ボタン（第１の操作ボタン）の食事種別を含んだ食事の支給の登録を行う。
【００６３】
≪第５の実施形態：登録処理≫
図２７は、第５の実施形態に係る登録処理の流れを示すフローチャートである。以下、図２７と、タッチパネルディスプレイ１１８上の表示画面（図２８〜図２９）とを参照しながら、出退勤登録装置１００が実行する登録処理を説明する。
【００６４】
ステップＳ５０１〜Ｓ５０５は、ステップＳ１０１〜Ｓ１０５（図４参照）とそれぞれ同様の処理である。
ステップＳ５０６において、登録手段１３３Ｄは、食事ボタン５４５が選択されたならば（Ｓ５０６→Ｙ）ステップＳ５０７に進み、食事ボタン５４５以外（出退勤種別）のボタンが選択されたならば（Ｓ５０６→Ｎ）ステップＳ５１０に進む。
【００６５】
ステップＳ５０７において、登録手段１３３Ｄは、従業員に食事の支給の種別を問い合わせる。図２８は、第５の実施形態に係る食事の支給の種別の問い合わせ画面を含めた登録画面を示す図である。画面４５１の中央左寄りに、「食事種別の問合せ」というタイトルのダイアログボックス５７２が表示され、従業員に食事の支給の種別を問い合わせている。
ステップＳ５０８において、従業員は食事種別をタップして選択する。
【００６６】
ステップＳ５０９において、登録手段１３３Ｄは、ステップＳ１０６（図４参照）と同様にして、食事種別を含めて食事の支給の登録を行う。詳しくは、入力受付手段１３１がステップＳ５０８で選択された食事種別を読み取り、登録手段１３３Ｄは、登録履歴データベース１６０の「出退勤種別と食事」１６４の属性に、食事種別を含めて食事を格納する。例えば、図２８において「丼」が選択された場合には、「食事丼」を格納する。図２９は、第５の実施形態に係る登録完了時の登録画面を示す図である。画面４５２のメッセージ領域５３０に食事種別を含めて食事の支給が登録されたことを示すメッセージが表示されている。
【００６７】
ステップＳ５１０において、登録手段１３３Ｄは、ステップＳ１０６（図４参照）と同様に登録を行う。
ステップＳ５１１は、ステップＳ１０７（図４参照）と同様の処理である。
【００６８】
≪第５の実施形態：効果≫
出退勤登録装置１００を操作することで、従業員は、従来までの出勤や退勤などの出退勤種別に加えて、食事の支給を登録することが可能となる。さらに給付品の種別を含めて登録することが可能となる。
【００６９】
≪登録状況画面≫
上記した第１〜５の実施形態で説明したとおり、登録手段（１３３、１３３Ａ、１３３Ｄ）が、登録履歴データベース１６０（図３参照）に従業員番号、登録日付、登録日時、出退勤種別および食事を格納する。出退勤登録装置１００の管理者（例えば、出退勤登録装置１００が設置された店の店長など）は、登録された情報を従業員別または日付別に閲覧することができる。
【００７０】
図３０は、第１〜第５の本実施形態に係る従業員別登録状況画面を示す図である。管理者が、登録プログラム１４１の管理機能を起動して、表示された管理者画面（不図示）の従業員別登録状況のメニューをタップすることで、画面４６１に遷移する。「番号で選択」タブ５５０Ａに従業員番号が入力される、または、「名前で選択」タブ５６０Ａで名前が選択されると、当該従業員の当月分の登録状況が登録内容領域５７５に表示される。ドロップダウンリスト５７３を用いて年と月が指定されることで、指定された年の月の登録状況が登録内容領域５７５に表示される。戻るボタン５７４がタップされると、管理者画面に戻る。
【００７１】
図３１は、第１〜第５の本実施形態に係る日付別登録状況画面を示す図である。管理者が、管理者画面の日付別登録状況のメニューをタップすることで、画面４６２に遷移する。ドロップダウンリスト５７６を用いて日付が指定されることで、指定された日付の登録状況が登録内容領域５７５Ａに表示される。戻るボタン５７４がタップされると、管理者画面に戻る。
【００７２】
≪変形例≫
本発明は、上記実施形態に限定されることなく、本発明の趣旨を逸脱しない範囲で、変更実施が可能であり、例えば、次の（１）〜（６）のようなものがある。
【００７３】
（１）上記した実施形態では給付品を食事として説明したが、食事に限らず、食品や飲料、日用品他の物品、肩もみなどのサービス、商品券などであっても構わない。
（２）第２の実施形態において、出退勤登録装置１００は、「食事問合せ」のダイアログボックス５７１を表示して食事の支給の有無を従業員に問い合わせている。しかしながら、従業員は、問い合わせに気がつかず、そのまま退勤してしまう可能性がある。このような場合に備えて、所定の時間内に回答がない場合には、食事の支給なしとして扱ってもよいし、逆に食事の支給ありとして扱ってもよい。または、ダイアログボックス５７１の表示とともに、スピーカ１１６から警告音を出力し続けて、従業員の注意を惹きつけるようにしてもよい。
【００７４】
（３）上記した実施形態では、食事の支給の回数（支給品数）は１回（１品）であったが、複数であってもよい。例えば、第５の実施形態において、食事の支給の種別を問い合わせるのに替えて食事の支給の回数を問い合わせるようにしてもよい。出退勤登録装置１００は、登録履歴データベース１６０の「出退勤種別と食事」１６４に「食事２回」など回数を含めた情報を格納する登録を行ってもよいし、問い合わせの結果の食事回数と同じ回数だけ、「食事」の登録を行ってもよい。また、第１の実施形態において、食事ボタンの他に、「食事２回」のボタンを配置するようにしてもよいし、第４の実施形態において、「退勤」→「退勤食事」→「退勤食事２回」→「退勤」のように入れ替わるトグルボタンを配置するようにしてもよい。
【００７５】
（４）ＩＣカードに限らず、スマートフォンやスマートウォッチなどの別の形態の近距離無線通信タグを用いて従業員識別情報を入力してもよい。また、従業員識別情報としては、顔、音声、指紋、静脈などの従業員の生体情報を用いてもよい。この場合には、ＮＦＣリーダ１１７に替わりに、出退勤登録装置１００は、カメラや指紋センサなどを用いて生体情報である従業員識別情報を読み取り、従業員情報データベース１５０に格納される登録済みの生体情報と照合して、読み取った生体情報に基づいて従業員番号を特定する。
【００７６】
（５）上記した実施形態での出退勤種別は、出勤と退勤と休憩開始と休憩終了であった。外出、再入、直行および直帰など、その他の出退勤種別が含まれていてもよい。
（６）上記した実施形態では、出退勤登録した結果は、登録履歴データベース１６０に格納されていたが、所定のタイミングでサーバにアップロードするようにしてもよい。また、所定のタイミングでサーバから従業員情報データベース１５０に格納される内容をダウンロード（同期）するようにしてもよい。
【００７７】
≪付記≫
以下に、この出願の願書に最初に添付した特許請求の範囲に記載した発明を付記する。
《請求項１》
勤務日に対応付けて登録すべき所定の確認事項について、当該勤務日において該当したことの登録または非該当であったことの登録を受け付けるための第１の操作ボタンを、出勤／退勤の選択を行うための第２の操作ボタンが表示される画面に表示させる表示制御手段を備えたことを特徴とする受付装置。
《請求項２》
前記表示制御手段は、前記第１の操作ボタンと前記第２の操作ボタンを並べて表示させる、
ことを特徴とする請求項１に記載の受付装置。
《請求項３》
前記表示制御手段は、前記第１の操作ボタンが操作されることに基づいて前記確認事項についての登録を受け付けたことを示すメッセージを表示させる、
ことを特徴とする請求項１または２に記載の受付装置。
《請求項４》
勤務日に対応付けて登録すべき所定の確認事項について、当該勤務日において該当したことの登録または非該当であったことの登録を受け付けるとともに、退勤の登録を合わせて受け付けるための第１の操作ボタンを、出勤の登録を受け付けるための第２の操作ボタンが表示される画面に表示させる表示制御手段を備えたことを特徴とする受付装置。
《請求項５》
勤務日に対応付けて登録すべき所定の確認事項について、当該勤務日において該当したことの登録または非該当であったことの登録を受け付けるための第１の操作ボタンを、出勤／退勤の選択を行うための第２の操作ボタンを含む画面において退勤の選択を受け付けた際に、前記画面に表示させる表示制御手段を備えたことを特徴とする受付装置。
《請求項６》
前記確認事項は、所定の物品の給付確認、受領確認、非給付確認、非受領確認、のうちの少なくとも一つ、または、所定のサービスの提供確認、受領確認、非提供確認、非受領確認、のうちの少なくとも一つである、
ことを特徴とする請求項１から５のうち何れか一項に記載の受付装置。
《請求項７》
前記表示制御手段は、表面への接触を入力操作として検出するタッチパネルを有する表示手段に前記画面を表示させる、
ことを特徴とする請求項１から６のうち何れか一項に記載の受付装置。
《請求項８》
勤務日に対応付けて登録すべき所定の確認事項について、当該勤務日において該当したことの登録または非該当であったことの登録を受け付けるための第１の操作ボタンを、出勤／退勤の選択を行うための第２の操作ボタンが表示される画面に表示させることを特徴とする受付方法。
《請求項９》
勤務日に対応付けて登録すべき所定の確認事項について、当該勤務日において該当したことの登録または非該当であったことの登録を受け付けるとともに、退勤の登録を合わせて受け付けるための第１の操作ボタンを、出勤の登録を行うための第２の操作ボタンが表示される画面に表示させることを特徴とする受付方法。
《請求項１０》
勤務日に対応付けて登録すべき所定の確認事項について、当該勤務日において該当したことの登録または非該当であったことの登録を受け付けるための第１の操作ボタンを、出勤／退勤の選択を行うための第２の操作ボタンを含む画面において退勤の選択を受け付けた際に、前記画面に表示させることを特徴とする受付方法。
《請求項１１》
コンピュータを、
勤務日に対応付けて登録すべき所定の確認事項について、当該勤務日において該当したことの登録または非該当であったことの登録を受け付けるための第１の操作ボタンを、出勤／退勤の選択を行うための第２の操作ボタンが表示される画面に表示させる表示制御手段として機能させるためのプログラム。
《請求項１２》
コンピュータを、
勤務日に対応付けて登録すべき所定の確認事項について、当該勤務日において該当したことの登録または非該当であったことの登録を受け付けるとともに、退勤の登録を合わせて受け付けるための第１の操作ボタンを、出勤の登録を行うための第２の操作ボタンが表示される画面に表示させる表示制御手段として機能させるためのプログラム。
《請求項１３》
コンピュータを、
勤務日に対応付けて登録すべき所定の確認事項について、当該勤務日において該当したことの登録または非該当であったことの登録を受け付けるための第１の操作ボタンを、出勤／退勤の選択を行うための第２の操作ボタンを含む画面において退勤の選択を受け付けた際に、前記画面に表示させる表示制御手段として機能させるためのプログラム。
【符号の説明】
【００７８】
１００  出退勤登録装置（受付装置）
１１１  ＣＰＵ
１１２  ＲＯＭ
１１３  ＲＡＭ
１１４  ＳＳＤ
１１５  ＮＩＣ
１１６  スピーカ
１１７  ＮＦＣリーダ（ＩＣカードリーダ）
１１８  タッチパネルディスプレイ（表示手段）
１３０  制御部
１３１  入力受付手段（受付手段）
１３２、１３２Ａ、１３２Ｂ、１３２Ｃ  表示制御手段
１３３、１３３Ａ、１３３Ｄ  登録手段
１４０  記憶部
１４１  登録プログラム
１５０  従業員情報データベース
１６０  登録履歴データベース
１７０  入出力部
５１０  ロゴ領域
５２０  日時領域
５３０  メッセージ領域
５４０  出退勤登録領域
５４１  出勤ボタン（第２の操作ボタン）
５４２  退勤ボタン（第２の操作ボタン）
５４２Ａ  退勤ボタン（第１の操作ボタン）
５４２Ｂ  退勤食事ボタン（第１の操作ボタン）
５４３  休息開始ボタン（第２の操作ボタン）
５４４  休息終了ボタン（第２の操作ボタン）
５４５  食事ボタン（第１の操作ボタン）
５４６  退勤食事ボタン（第１の操作ボタン）
５５０、５５０Ａ  「番号で選択」タブ
５５１  従業員番号領域
５６０、５６０Ａ  「名前で選択」タブ
５６１  従業員名前領域
５７５、５７５Ａ  登録内容領域
【図１】
2019082799.tif 000003
【図２】
2019082799.tif 000004
【図３】
2019082799.tif 000005
【図４】
2019082799.tif 000006
【図５】
2019082799.tif 000007
【図６】
2019082799.tif 000008
【図７】
2019082799.tif 000009
【図８】
2019082799.tif 000010
【図９】
2019082799.tif 000011
【図１０】
2019082799.tif 000012
【図１１】
2019082799.tif 000013
【図１２】
2019082799.tif 000014
【図１３】
2019082799.tif 000015
【図１４】
2019082799.tif 000016
【図１５】
2019082799.tif 000017
【図１６】
2019082799.tif 000018
【図１７】
2019082799.tif 000019
【図１８】
2019082799.tif 000020
【図１９】
2019082799.tif 000021
【図２０】
2019082799.tif 000022
【図２１】
2019082799.tif 000023
【図２２】
2019082799.tif 000024
【図２３】
2019082799.tif 000025
【図２４】
2019082799.tif 000026
【図２５】
2019082799.tif 000027
【図２６】
2019082799.tif 000028
【図２７】
2019082799.tif 000029
【図２８】
2019082799.tif 000030
【図２９】
2019082799.tif 000031
【図３０】
2019082799.tif 000032
【図３１】
2019082799.tif 000033